(57)【要約】      （修正有）【課題】ネットワークカメラは電源があり、ＬＡＮ機器とＬＡＮケーブルでの接続ができ、ネットワークに接続可能な閲覧用携帯電話によって、遠隔から閲覧や監視ができるようにする。【解決手段】撮影場所の通信環境がＷＡＮ側はグローバルＩＰアドレスが利用でき、ＬＡＮ側にはＤＨＣＰにてローカルＩＰアドレスが払い出されていれば、ネットワークカメラの電源を入れてＬＡＮケーブルをハブに接続すれば設定・制御用コンピュータが不要で即スタンバイ可能になる。閲覧は携帯電話・ＰＨＳとし、認証は携帯電話・ＰＨＳの機種個体番号を用いて行うため、初回以外はアクセスするだけで利用可能である。インターネットに接続するネットワーク上に中継サーバ機器を設置し、カメラと携帯電話・ＰＨＳ間の通信を取り持つことで、カメラには物理的な実装がない左右左右の首ふり、拡大や過去画像の保管や再生などユーザ毎の動作リクエストに対応が可能となる。【選択図】図２
2009171531.tif 000002
【特許請求の範囲】
【請求項１】
ＨＴＴＰクライアント機能を有し、設置場所がＬＡＮ側の端末に対してＤＨＣＰにてローカルＩＰアドレスでの払い出しが行われ、ＷＡＮ側からはグローバルＩＰアドレスが付与されるネット  ワーク環境において、電源とＬＡＮケーブルを接続するだけで即使用開始でき、撮影した画像の閲覧端末としては携帯電話・ＰＨＳに特化したネット  ワークカメラ。
【請求項２】
カメラ本体のカメラ基板部の撮像素子の被写体側に設置するレンズ部は、広い範囲を撮影できる超広角レンズ部を有する請求項１記載のネット  ワークカメラ。
【請求項３】
インターネット上に、Ｗｅｂサーバ機能、アプリケーションサーバ機能、ユーザ管理ＤＢサーバ機能、データ保管サーバ機能から構成される各種サーバを構築し、請求項１および２に記載のネット  ワークカメラと連携および制御し、ネット  ワークカメラ側に物理的な左右や上下の首振り機能やズーミング機能を有せずとも同等の閲覧機能を提供し、閲覧端末として特化した携帯電話・ＰＨＳに画像を送信する中継サーバ機器。
【発明の詳細な説明】
【技術分野】
【０００１】  本発明は、事業所用および家庭用として利用開始時の設定作業の低減と、携帯電話・ＰＨＳを用いる事による閲覧環境を問わない利便性と、機器の特定が容易にできる仕組みを有する携帯電話・ＰＨＳを用いることにより一定のセキュリティが確保できるシステムに関する。
【背景技術】
【０００２】  従来の技術は、撮影するネット  ワークカメラにＷｅｂサーバ機能を内蔵し、このサーバに外部のコンピュータや携帯電話からアクセスするものがある。【０００３】  以下、図１にて従来のネット  ワークカメラシステムについて説明する。撮影場所のＬＡＮにおいて、撮影場所のＬＡＮ側に設置されるインターネット接続機器群としてＡＤＳＬモデムまたは光ＯＮＵまたはケーブルモデムやブロードバンドルータやハブがあり、ＷＡＮ側にあるＩＳＰからの通信回線はＷＡＮ側よりＡＤＳＬモデムまたは光ＯＮＵまたはケーブルモデム→ブロードバンドルータ→ハブの順に接続され、Ｗｅｂサーバ内蔵ネット  ワークカメラがここに接続される。【０００４】  閲覧場所のＬＡＮにおいて、閲覧場所のＬＡＮ側に設置されるインターネット接続機器群としてＡＤＳＬモデムまたは光ＯＮＵまたはケーブルモデムやブロードバンドルータやハブがあり、ＷＡＮ側にあるＩＳＰからの通信回線はＷＡＮ側よりＡＤＳＬモデムまたは光ＯＮＵまたはケーブルモデム→ブロードバンドルータ→ハブの順で接続され、閲覧用コンピュータがここに接続される。【０００５】  閲覧用携帯電話は各携帯電話用無線基地局ならびに各携帯電話キャリア網を通じてインターネットに接続される。【０００６】  ＷＡＮ側はグローバルＩＰアドレスで、撮影場所のＬＡＮ側および閲覧場所のＬＡＮ側はローカルＩＰアドレスである。この変換を行うのがブロードバンドルータである。【０００７】  ＷＡＮの範囲に含まれるＩＳＰが撮影場所に対して付与するグローバルＩＰアドレスは専用回線契約の場合を除き、ある特定のタイミングでＩＰアドレスが変化する変動型グローバルＩＰアドレスである。【０００８】  撮影場所に設置されたＷｅｂサーバ内蔵ネット  ワークカメラにはドメイン名を設定し利用する。【０００９】  閲覧用コンピュータおよび閲覧用携帯電話からＷｅｂサーバ内蔵ネット  ワークカメラにアクセスするとき、撮影場所のＬＡＮに割り当てられる変動型グローバルＩＰアドレスと、Ｗｅｂサーバ内蔵ネット  ワークカメラに設定されたドメイン名の名前解決の方策として、ダイナミックＤＮＳサーバを用いる。
【特許文献１】特開示２００５−２６０３１１
【非特許文献１】「ネット  ワークカメラ  総合カタログ（２００７／夏）」、パナソニックコミュニケーションズ株式会社、２００７年、Ｐ．１〜Ｐ．２４
【発明の開示】
【発明が解決しようとする課題】
【００１０】  以上に述べた従来の方法ではダイナミックＤＮＳサーバの選定と契約、利用のための費用負担、撮影場所のＬＡＮのブロードバンドルータに対するポート転送の設定、Ｗｅｂサーバ内蔵ネット  ワークカメラのＭＡＣ  Ａｄｄｒｅｓｓを用いた起動の追跡ならびにローカルＩＰアドレスの捕捉、ダイナミックＤＮＳサーバへの変動したグローバルＩＰアドレスの通知などを行うソフトウェアのインストールと操作・設定ならびに操作・設定後の確認など、ユーザに高度かつ煩雑な作業を求めている。【００１１】  撮影場所のＬＡＮ側に設置されるＷｅｂサーバ内蔵ネット  ワークカメラから見ると、ＷＡＮ側から通信が開始されるために、この呼び出しに応答可能なＷｅｂサーバ機能を有するＷｅｂサーバ内蔵ネット  ワークカメラでなければならないが、設置される撮影場所のＬＡＮに接続されるＩＳＰからの回線が、ＩＳＰ独自のサービスを稼動させるための通信回線網の場合は、ＩＳＰによる様々な通信規制、具体的な例としては特定のＣＡＴＶ事業者の通信回線網では、ユーザへの通信回線を割り当てる時点でローカルＩＰアドレスしか払い出さないことによりネット  ワークカメラのような異なるネット  ワークを超越して双方向での通信が必要な仕組みが稼動しない。【００１２】  閲覧場所のコンピュータに、閲覧のためにセキュリティ面での問題が発生するＡｃｔｉｖｅＸなどのソフトウェアをインターネットからダウンロードしてのインストールが必要となったり、ウィルス対策ソフトウェアやファイヤーウォールの設定をし直さなければならず、この場合、初心者ユーザなどはダウンロード方法、インストール方法や設定操作が分からずに閲覧ができないことが発生する。【００１３】  閲覧用携帯電話は各携帯電話キャリアにおける実装ソフトウェアや通信手順、機種毎の固有機能などにより、Ｗｅｂサーバ内蔵ネット  ワークカメラはその全てへの対応が不可能であり、結果的に市場シェアの高い通信キャリアや、出荷台数の多い携帯電話機種への対応にとどまる場合が多く、ユーザが保有する多様な携帯電話の全てに対応することは困難なのが現状で、携帯電話ではないＰＨＳに至ってはほぼ閲覧が不可能である。【００１４】  人間の視野は、健常者であれば水平方向では１８０度程度を有する。一般的なネット  ワークカメラでは広角の部類でもおおよそ７０度内外であり、その範囲外を撮影しようとするとパン＝左右の首振りや、チルト＝上下の首振りなどの機能が必要になる。この機能の実現のために、動作に合わせた構造部材、複数個の駆動用モータやカム、ギヤ、ベルトなどの部品が必要になる。また、カメラ基板部は主基板部との溶接、ロウ付け、接着なとの直接的な接合ではなく、コネクタ付きワイヤーハーネスなどを使用し、首振りの動作に追従する仕組みにしないとならない。この可動させる機能を付加することにより製造コスト増と利用時に一定の故障率が見込まれ、保守サポートの負荷が発生する。【００１５】  撮影場所のＬＡＮに対して付与されるＷＡＮ側の変動型グローバルＩＰアドレスの名前解決のために用いられるダイナミックＤＮＳサービスを、ネット  ワークカメラ製造事業者自身が運営せず、ユーザにはダイナミックＤＮＳ専業事業者への紹介のみを行っている場合が多く、ダイナミックＤＮＳ関連で不具合が発生した場合は、ユーザは自身で発生した高度かつ複雑な問題の全てを解決しなければならない。【００１６】  本発明は、このような従来の構成、方式が有していた諸問題を解決しようとするものであり、撮影場所に設置するネット  ワークカメラは電源があり、正常に稼動しているＬＡＮ機器とＬＡＮケーブルでの接続ができ、ネット  ワークに接続しての利用が可能な閲覧用携帯電話・ＰＨＳがあれば極めて簡便かつ安全に遠隔から閲覧や監視ができる環境を実現することを目的とするものである。
【課題を解決するための手段】
【００１７】  本発明で、前項目的を達成するための第一の手段は、撮影場所に設置するネット  ワークカメラはＣＣＤあるいはＣＭＯＳ撮像素子の被写体側に設けられたレンズの画角を約１８０度の超広角とする。【００１８】  課題を解決するための第２の手段は、ネット  ワークカメラにＨＴＴＰクライアント機能とＤＨＣＰクライアント機能を実装する。【００１９】  課題を解決するための第３の手段は、ネット  ワークカメラに閲覧用携帯電話・ＰＨＳを用いて簡単に利用開始できようように、中継サーバ機器へのアクセスのために様々な情報を盛り込んだＱＲコードを貼り付けておく。【００２０】  課題を解決するための第４の手段は、ネット  ワークカメラからの画像を受信、保管し、閲覧用携帯電話・ＰＨＳからの閲覧要求に呼応し画像を配信する装置として中継サーバ機器をインターネット上に設置する。この中継サーバ機器は物理的に左右上下の首振りやズームなどの機構を有しないネット  ワークカメラを利用するとき、ほぼ同等の効果を表現するための画像処理エンジンとユーザ管理と閲覧用携帯電話・ＰＨＳの機種変更や入れ替えやユーザ毎への配信制御やユーザ毎に区分された保存や画像検索ができるエリアを設ける。
【発明の効果】
【００２１】  ネット  ワークカメラに付与した機能により撮影場所のＬＡＮの内側から通信を開始することができ、撮影場所のＬＡＮの内側に設置されているブロードバンドルータの機能であるＮＡＴ、ＮＡＰＴならびにＳＰＩなどによる通信阻害の影響を回避でき、ユーザが利用する時はネット  ワークカメラの電源をＯＮにして、ハブにＬＡＮケーブルで接続するだけでネット  ワークカメラ本体やブロードバンドルータに対して、設定や調整ならびにソフトウェアのインストールなどのユーザが行う操作が不要となり、これ等の設定のためや利用時にＰＣが不要となる。【００２２】  ネット  ワークカメラに貼り付けたＱＲコードを閲覧用携帯電話・ＰＨＳで読み取り、即初期登録のためのアクセスが行えることにより従来のアクセス先ＵＲＬなど多項目かつ大量の文字列が記載された紙を目視しながら閲覧用携帯電話・ＰＨＳの小型キーボードから手入力すると入力間違いが発生しやすく、かつ面倒な作業から解放される。【００２３】  中継サーバ機器の設置により、ユーザのアクセス認証に閲覧用携帯電話・ＰＨＳに実装されている機種個体番号を用いる事が可能となり、セキュリティレベルを維持しながらユーザＩＤとパスワードの入力が不要で、かつユーザＩＤとパスワードの失念、紛失による利用不可能な状態の発生を防止でき、機種変更や修理やＳＩＭ交換などによる登録内容の更新やモバイルナンバーポータビリティが開始された現状の携帯電話・ＰＨＳユーザの動向にも完全に対応可能な構成として運用できる。【００２４】  ネット  ワークカメラは物理的に左右上下の首振りやズームなどの機構を有しないが、中継サーバ機器に画像処理エンジンを実装する事によりほぼ同等の効果を表現することができ、これによりネット  ワークカメラのコストダウンと部品点数の大幅な低減により可動部品が多数ある従来製品より低い故障率が見込まれる。
【発明を実施するための最良の形態】
【００２５】  ユーザに販売されるネット  ワークカメラの本体には
▲１▼初期登録のために閲覧用携帯電話・ＰＨＳでアクセスするアクセス先ＵＲＬ
▲２▼ネット  ワークカメラ本体のＮＩＣ基板部に格納されている個体毎にユニークな文字列（ＭＡＣ  Ａｄｒｅｓｓ）
以上の二つの情報が盛り込まれているＱＲコード（二次元バーコード）を紙片に印字し、ネット  ワークカメラ本体に貼り付けられている。【００２６】  ユーザは上記ＱＲコードを閲覧用携帯電話・ＰＨＳのバーコード読み取り機能を用いて簡便に前項の情報を取得する。【００２７】  閲覧用携帯電話・ＰＨＳにて中継サーバ機器にアクセスし、初回のみ、ネット  ワークカメラに同梱されている紙片に印字されているレジストレーションキーを閲覧用携帯電話・ＰＨＳのキーボードを用いて登録画面の所定のボックスに入力する。【００２８】  閲覧用携帯電話・ＰＨＳに機種個体番号を中継サーバ機器に送信してよいか、との表示が画面に出るのでＯＫボタンを押し下る。【００２９】  前項までの情報が中継サーバ機器に収集されると
▲１▼ネット  ワークカメラのＮＩＣ基板部に格納されているＭＡＣ  Ａｄｄｒｅｓｓ
▲２▼レジストレーションキー
▲３▼閲覧用携帯電話・ＰＨＳの機種個体番号
以上の３因子が関連付けられて画像の閲覧が可能となる。【００３０】  撮影場所に設置された一台のネット  ワークカメラには最大で三台までの閲覧用携帯電話・ＰＨＳがアクセスできる。【００３１】  中継サーバ機器には、閲覧用携帯電話・ＰＨＳの通信キャリア変更を含む機種変更、修理、ＳＩＭカード交換などによるアクセス障害を回避するため、現在の利用可能な登録済みの閲覧用携帯電話・ＰＨＳの中から特定の一台をユーザに選択させ、利用停止後に新規または追加での登録が行えるＤＢを実装する。
【実施例１】
【００３２】  本発明の実施例１として図２に基づいて説明する。
１８はインターネットである。１７はＷＡＮであり、インターネットを含めたグローバルＩＰアドレスでの通信環境である。８はＩＳＰで、５の撮影場所である事業所または家庭へ７のアクセスラインにて回線接続サービスを提供している。６は撮影場所のＬＡＮであり、ローカルＩＰアドレス環境である。その構成は４のＡＤＳＬ・光・ケーブルモデムと、３のブロードバンドルータと、２のハブである。このハブに本発明の一部である１のネット  ワークカメラがＬＡＮケーブルで接続されている。１３は閲覧環境のネットワークであり、これの内容は携帯電話・ＰＨＳキャリアのネット  ワークポリシーにより異なるが、一般的にはインターネットに接続する１２の各携帯電話・ＰＨＳキャリア網があり、その先に１１の携帯電話・ＰＨＳ用無線基地局に接続されている。１０は閲覧場所を示し、屋内または屋外であり、ユーザはここで９の携帯電話・ＰＨＳを用いて閲覧を行う。１６は本発明の一部である中継サーバ機器で、１５のインターネットデータセンターのファシリティに設置され、１４のＩＳＰを介してインターネットに接続している。【００３３】  中継サーバ機器  １６のユーザ管理エリアに図３の管理テーブルＤＢを設定し、保持している。１９はネット  ワークカメラに実装されているＮＩＣ基板部に格納されている個体毎にユニークなＭＡＣ  Ａｄｄｒｅｓｓ  １−ｃと等価の値である。これはユーザがネット  ワークカメラを購入したとき、カメラ本体にアクセス先ＵＲＬと共にＱＲコード化し、１−ａとして紙片に印字されて添付されている値と等価である。２０はユーザがネット  ワークカメラを購入したとき、梱包内に封入されている紙片に印字されているレジストレーションキー  １−ｄと等価の値で、ＭＡＣ  Ａｄｄｒｅｓｓと関連づけられている。２１はＭＡＣ  Ａｄｄｒｅｓｓ  １−ｃが実装されたネット  ワークカメラ個体毎に、ＭＡＣ  Ａｄｄｒｅｓｓと関連づけられた製造番号と等価の値である。２２−ａと２２−ｂと２２−ｃは、ネット  ワークカメラを用いて閲覧するとき、閲覧用携帯電話・ＰＨＳ  ９の機種個体番号を収集し格納するエリアである。１台のネット  ワークカメラの閲覧可能台数を利用時には最大３台までに制御する。２３はＭＡＣ  Ａｄｄｒｅｓｓの予備としての一時格納エリアで２４は製造番号の予備としての一時格納エリアで、ネット  ワークカメラを入れ替えるとき、新ネット  ワークカメラ用に利用する。ユーザが利用開始後の携帯電話・ＰＨＳの機種変更、修理、ＳＩＭカードの交換などの機種個体番号の変更などを考慮し、２５の機種個体番号の入れ替え用データの一時格納エリアも持つ。【００３４】  ネット  ワークカメラの利用開始の手順を説明する。撮影場所のＬＡＮでは正しくＷＡＮとＬＡＮが通信でき、設置されているＡＤＳＬ・光・ケーブルモデムとブロードバンドルータとハブにネット  ワークカメラが正しく接続され、ネット  ワークカメラはすでに撮影場所に設置されており正常に電源がＯＮになり、全ての接続が完了しているものとする。【００３５】  続けて前項までの状態以降の説明（図示せず）を行う。ネット  ワークカメラは撮影場所のＬＡＮのＤＨＣＰを司る機器よりローカルＩＰアドレスと利用すべきＤＮＳサーバの通知を受ける。ネット  ワークカメラにはＤＨＣＰクライアント機能が実装されているのですぐさま通知されたローカルＩＰアドレスを取得し、続けて同じく通知を受けたＤＮＳサーバへアクセス先問い合わせを行い、中継サーバ機器のネット  ワークカメラ毎に用意されたアクセス先へ接続し、中継サーバ機器が受け渡すユーザからの閲覧開始、閲覧継続、閲覧中止などの指示待ち状態で待機する。【００３６】  図４を用いてユーザが利用開始し、閲覧を終了し、また再開するまで手順を説明する。ＳＴＥＰ  １にてユーザは正常に稼動する閲覧用携帯電話・ＰＨＳにてネット  ワークカメラの本体に添付されているＱＲコードを内蔵のカメラ機能を用いて撮影し、内蔵されているバーコード認識機能にてアクセス先ＵＲＬを認識し、取得する。このアクセス先にはＨＴＴＰクライアント機能内蔵ネット  ワークカメラに実装されているＮＩＣ基板部に格納されているＭＡＣ  Ａｄｄｒｅｓｓが含まれている。ＳＴＥＰ  ２にて取得したＵＲＬにアクセスすると、ＳＴＥＰ  ３にてアクセスされた中継サーバ機器はユーザ管理エリア内ＤＢに保持しているＭＡＣ  ＡｄｄｒｅｓｓとアクセスしてきたＨＴＴＰ通信内のパケットに含まれるＭＡＣ  Ａｄｄｒｅｓｓを突合し、ＳＴＥＰ  ４および５にて否ならば閲覧用携帯電話・ＰＨＳの画面に不正なアクセスの旨を表示して終了する。ＳＴＥＰ  ３にて正ならば今回のアクセスに展開しているメモリ上に仮に保持する。ＳＴＥＰ  ６にて閲覧用携帯電話・ＰＨＳの画面に機種個体情報の取得への諾否を問う表示を行う。ユーザがＳＴＥＰ  ７にて否を選択すると作業の終了を告知して通信が終了する。諾ならば機種個体情報を取得動作に入り、ＳＴＥＰ  ９にてもし連続して規定回数機種個体情報の取得に失敗したら、ＳＴＥＰ  １０にてその旨を表示して終了する。ＳＴＥＰ  １１にて成功したら今回のアクセスに展開しているメモリ上に仮に保持する。ＳＴＥＰ  １２にてレジストレーションキーの入力を促す。ＳＴＥＰ  １３にてユーザはカメラ本体に同梱されている紙片に記載されているレジストレーションキーを入力する。ＳＴＥＰ  １４にてこのレジストレーションキーはユーザ管理エリア内ＤＢに保持しているＭＡＣ  Ａｄｄｒｅｓｓとすでに関連づけられているので、もし不正な文字列や入力ミスで連続して規定回数失敗したら、ＳＴＥＰ  １５ならびに１６にてその旨を表示して終了する。１７にて正常に入力が完了すると今回のアクセスに展開しているメモリの情報とＭＡＣ  Ａｄｄｒｅｓｓとレジストレーションキーを関連づけてＤＢをロックする。ＳＴＥＰ  １８にて閲覧用携帯電話・ＰＨＳの登録可能残台数を算出し、あと何台の登録が可能かをＳＴＥＰ  １９にて表示して終了する旨の表示を行い一連の作業を終了する。ＳＴＥＰ  ２０にて前ＳＴＥＰ終了直後からＨＴＴＰクライアント機能内蔵ネット  ワークカメラは規定の時間間隔で中継サーバ機器のステータス取得のＨＴＴＰ通信を開始し、ＳＴＥＰ  ２１にて登録完了とすぐに画像の送信開始の表示を行う。ＳＴＥＰ  ２１にて一意の閲覧用携帯電話・ＰＨＳと一意のネット  ワークカメラの組み合わせが完了する。ＳＴＥＰ  ２３にて中継サーバ機器はネット  ワークカメラに画像送信を要求する。ＳＴＥＰ  ２４にて���ット  ワークカメラは中継サーバ機器の動作指示に基づきＳＴＥＰ  ２５にて画像を中継サーバ機器に送信する。ＳＴＥＰ  ２６にて中継サーバ機器は画像を受信しＳＴＥＰ  ２７にて閲覧用携帯電話・ＰＨＳに画像を送信する。ＳＴＥＰ  ２８にて閲覧用携帯電話・ＰＨＳにて画像の閲覧を開始する。ＳＴＥＰ  ２９にて拡大、移動、過去画像の閲覧などの操作を行う。ＳＴＥＰ  ３０にてこれ以降の動作は閲覧用携帯電話・ＰＨＳがブラウザを閉じるか電源を切るか、ネット  ワークカメラの電源をＯＦＦにするまで継続する。閲覧終了後でもネット  ワークカメラの電源がＯＮのままであれば閲覧用携帯電話・ＰＨＳより閲覧用アクセス先にアクセスすると再開する。【００３７】  図５にて、閲覧用携帯電話・ＰＨＳを用いての画像閲覧時の基本操作の説明をする。この２６は閲覧用携帯電話・ＰＨＳで指定アクセス先ＵＲＬにて閲覧サイトに接続したときの初期に表示される画面全体の様子である。デフォルトで画像が選択されているので利用中の閲覧用携帯電話・ＰＨＳの決定ボタンを押下げすると２６が拡大された画像２７が表示される。２８の「大」を選択して閲覧用携帯電話・ＰＨＳの決定ボタンを押し下げすると２９の拡大された画像が表示される。更に拡大するには「大」２８を選択して決定ボタンを押下げする。一つ前の大きさに戻すには３０の「小」を選択して閲覧用携帯電話・ＰＨＳの決定ボタンを押下げする。画面上のＨｏｍｅボタン  ３１を選択して決定ボタンを押下げすると直近の閲覧画面に遷移する。写真一覧  ３２を選択し決定ボタンを押下げすると最も現在の時間に近い画像を最上部に表示し、その以下に時間順で保存してある画像をサムネイルの画角とその日時を併せて５枚を１グループとして表示する。「次へ」３３を選択し決定ボタンを押下げすると更に過去の保存画像の表示が行える。「検索結果ページ」３４の右側から始まる数字を選択して決定ボタンを押下げすることにより、過去画像へジャンプしての選択が可能となる。【００３８】  図６を元にネット  ワークカメラ側に物理的な左右や上下の首振り機能やズーミング機能を有せずとも同等の機能が提供可能な動作について説明する。閲覧範囲の移動には、画面上の矢印左へは←、右へは→、上へは↑、下へは↓を選択した後に決定ボタンを押下げするか、直接キーボードの数字キーを押下げしダイレクトに移動する２通りの方法が準備してあり、好みによりどちらでも利用可能である。数字キーを利用の場合は「５」をセンターとして、「２」で上、「８」で下、「４」で左、「６」で右に移動する。【００３９】  閲覧を終了するには利用中の閲覧用携帯電話・ＰＨＳのブラウザの終了操作を行う。特別なログオフやサインアウトなどのユーザによる操作は不要である。
【産業上の利用可能性】
【００４０】  自分が現在居る場所と異なる場所の今の状態を目視したいとの希望には、撮影場所に電源と通信環境があり、閲覧者の手元には登録が済みで正式な閲覧許可を有する携帯電話があれば広範囲に対応可能。【００４１】  ネット  ワークカメラ側から通信が開始できるので、介護等の現場から緊急報知なども、機器、ＤＢおよび通信フローの簡便な変更で対応可能。【００４２】  目視が必要で、特段の閲覧権限が必要でない公共の場所の閲覧や、私企業が、自らの営業設備を緩やかな会員制などを施し閲覧させることが可能。【００４３】  閲覧用携帯電話・ＰＨＳネット  ワークカメラの間に中継サーバ機器が存在する事により、閲覧用携帯電話・ＰＨＳの画面に告知、広告の文字や画像を任意のタイミングで選別したユーザに送出することが可能。【００４４】  前項の告知、広告の内容は任意のタイミングで差し替える事も可能。
【図面の簡単な説明】
【００４５】
【図１】  従来技術の課題点提示図
【図２】  本発明の実施形態提示図
【図３】  中継サーバ機器格納するユーザ管理テーブルＤＢ
【図４−１】  ユーザが本発明製品を入手後、利用開始、終了、再開までの流れ図の前半
【図４−２】  ユーザが本発明製品を入手後、利用開始、終了、再開までの流れ図の後半
【図５】  ユーザが指定アクセス先に接続しての利用の図
【図６】  ネット  ワークカメラの左右、上下の首振りならびにズーミングとの同等機能提供の図
【符号の説明】
【００４６】  １      ネット  ワークカメラ
１−ａ  ＱＲコード
１−ｂ  製造番号
１−ｃ  ＭＡＣ  Ａｄｄｒｅｓｓ
１−ｄ  レジストレーションキー
２      ハブ
３      ブロードバンドルータ
４      ＡＤＳＬ・光・ケーブルモデム
５      撮影場所
６      撮影場所のＬＡＮ
７      アクセス回線（ＩＳＰ  ８と撮影場所  ５を結ぶ）
８      ＩＳＰ
９      閲覧用携帯電話・ＰＨＳ
１０      閲覧場所（屋内または屋外）
１１      閲覧用携帯電話・ＰＨＳ用無線基地局
１２      各携帯電話・ＰＨＳキャリア網
１３      閲覧環境のネット  ワーク
１４      ＩＳＰ（中継サーバ機器  １６のための）
１５      中継サーバ機器設置のファシリティ
１６      中継サーバ機器
１７      ＷＡＮ
１８      インターネット
１９      カメラ管理ＩＤ（ＭＡＣ  Ａｄｄｒｅｓｓ）（ＤＢテーブルに格納）
２０      レジストレーションキー（ＤＢテーブルに格納）
２１      製造番号（ＤＢテーブルに格納）
２２      機種個体番号（ＤＢテーブルに格納）
２３      予備  ＭＡＣ  Ａｄｄｒｅｓｓ（ＤＢテーブルに格納）
２４      予備  製造番号（ＤＢテーブルに格納）
２５      予備  機種個体番号（ＤＢテーブルに格納）
２６      閲覧時初期画面
２７      閲覧画像選択画面
２８      拡大ボタン
２９      拡大後画面
３０      縮小画面
３１      「Ｈｏｍｅ」ボタン
３２      「写真一覧」ボタン
３３      「次へ」ボタン
３４      「検索結果ページ」表示文言
【図１】
2009171531.tif 000003
【図２】
2009171531.tif 000004
【図３】
2009171531.tif 000005
【図４−ｌ】
2009171531.tif 000006
【図４−２】
2009171531.tif 000007
【図５】
2009171531.tif 000008
【図６】
2009171531.tif 000009